(57)【要約】【課題】マスコーリングサービス提供事業者と異なる事業者網に存在する端末に、マスコーリングサービスを提供する。【解決手段】ガイダンス装置３１が設けられた事業者網１１−１と、端末５０が接続された事業者網１１−２との境界に設けられた中継装置２０は、ＳＩＰ信号中継変換部２１とメディア信号中継変換部２２とを備え、ＳＩＰ信号中継変換部２１は、端末５０からマスコーリング呼の接続信号を受信した際に、マスコーリング呼に係るメディア信号を未だ分配していなかったならば、マスコーリング呼の接続信号をガイダンス装置３１に中継し、メディア信号中継変換部２２は、ガイダンス装置３１から、当該マスコーリング呼に係るメディア信号を分配して、端末５０に中継する。【選択図】図１
2014007540.tif 000002
【特許請求の範囲】
【請求項１】
ガイダンス装置が設けられた第１のネットワークと、端末が接続された第２のネットワークとの境界に設けられた中継装置は、呼信号中継変換部とメディア信号中継変換部とを備え、
前記呼信号中継変換部は、前記端末からのマスコーリング呼の接続信号を前記ガイダンス装置に中継し、
前記メディア信号中継変換部は、前記ガイダンス装置から、当該マスコーリング呼に係るメディアを分配して、前記端末に中継する、
ことを特徴とするマスコーリングの中継方法。
【請求項２】
前記呼信号中継変換部は、前記端末からマスコーリング呼の接続信号を受信した際に、当該マスコーリング呼に係るメディアを未だ分配していなかったならば、当該マスコーリング呼の接続信号を前記ガイダンス装置に中継する、
ことを特徴とする請求項１に記載のマスコーリングの中継方法。
【請求項３】
前記呼信号中継変換部は、前記マスコーリング呼が全て切断されたならば、当該マスコーリング呼に係る切断信号を前記ガイダンス装置に送信する、
ことを特徴とする請求項１に記載のマスコーリングの中継方法。
【請求項４】
前記呼信号中継変換部は更に、
端末からマスコーリング呼の接続信号を受信したとき、前記マスコーリング呼に係る呼接続詳細情報を課金サーバに送信する、
ことを特徴とする請求項１ないし請求項３のいずれか１項に記載のマスコーリングの中継方法。
【請求項５】
前記呼信号中継変換部は更に、
端末からマスコーリング呼の切断信号を受信したとき、前記マスコーリング呼に係る呼接続詳細情報を課金サーバに送信する、
ことを特徴とする請求項１ないし請求項３のいずれか１項に記載のマスコーリングの中継方法。
【請求項６】
マスコーリング中継ネットワークシステムは、ガイダンス装置が設けられた第１のネットワークと、端末が接続された第２のネットワークと、前記第１のネットワークと前記第２のネットワークとの境界に設けられ、呼信号中継変換部とメディア信号中継変換部とマスコーリング呼テーブルとを備えた中継装置とを備え、
前記呼信号中継変換部は、前記端末からマスコーリング呼の接続信号を受信した際に、前記マスコーリング呼テーブルによって、当該マスコーリング呼に係るメディアを未だ分配していないと判断したならば、当該マスコーリング呼の接続信号を前記ガイダンス装置に中継して、当該マスコーリング呼テーブルの参照数を１増加させ、
前記メディア信号中継変換部は、前記ガイダンス装置から、当該マスコーリング呼に係るメディアを分配して、前記端末に中継する、
ことを特徴とするマスコーリング中継ネットワークシステム。
【発明の詳細な説明】
【技術分野】
【０００１】
本発明は、事業者網において、他網からの呼接続に対して、同時に多数の接続を受け付けてガイダンス提供や投票受付を行うマスコーリングの中継方法およびマスコーリング中継ネットワークシステムに関する。
【背景技術】
【０００２】
従来の技術では、同一事業者の加入者からの接続に対しては、網内でプロトコルの変換を行ってマスコーリングを提供することが可能であった。
特許文献１には、課題が「ＩＰ網内、若しくはＩＰ網と既存電話網を相互に接続したシステムにおいて、電話による効率的な投票サービス、情報提供サービスを提供すること。」と記載されている。
特許文献１には、解決手段が「ＩＰ網における投票サービスにおいて、加入者サーバ１３は、電話端末２３からの投票をカウントし、当該呼が第１の呼の場合、投票完了を通知するガイダンスを配信するガイダンスサーバ１７のＩＰアドレスと当該呼の論理電話番号に対応するマルチキャストアドレスをチャネル番号としてＩＰ変換装置１１に送信し、ＩＰ変換装置１１はチャネル番号をマルチキャストルータ２０に送信する。マルチキャストルータ２０がチャネル番号を用いてガイダンスサーバ１７からガイダンスを取得し、２番目以降の呼に対しては、マルチキャストルータ２０が電話端末２３に対してガイダンスをマルチキャスト送信する。」と記載されている。
【先行技術文献】
【特許文献】
【０００３】
【特許文献１】特開２０１１−２１７２９７号公報
【発明の概要】
【発明が解決しようとする課題】
【０００４】
特許文献１では、ガイダンスサーバが属する事業者網に収容されている端末に限りマスコーリングサービスの提供が可能であり、他事業者からのＳＩＰ（Session Initiation Protocol）呼に対してマスコーリングサービスを提供できないという問題があった。
マルチキャストルータは、一般的には、自網内の端末に対してのみマルチキャスト配信が可能であり、他網または自網内の網内装置に対しては、マルチキャスト配信を行えなかった。よって、他事業者からのＳＩＰ呼に対しては、マスコーリングサービスを提供することはできなかった。
【０００５】
また、ＳＩＰによる呼接続にはＳＩＰサーバやアプリケーションサーバへの負荷が掛かる。そのため、同時に多数の接続が行われるようなマスコーリングサービスで、ユニキャストの呼としてそれぞれ接続することは難しかった。
マルチキャスト技術は特定の網内に限定した運用できないことが一般的であるため、事業者の境界を越えてマルチキャスト配信することはできず、マスコーリングサービスへの応用ができなかった。
そこで、本発明は、マスコーリングサービス提供事業者と異なる事業者網に存在する端末にマスコーリングサービスを提供することを課題とする。
【課題を解決するための手段】
【０００６】
前記した課題を解決するため、本発明の請求項１に記載の発明では、ガイダンス装置が設けられた第１のネットワークと、端末が接続された第２のネットワークとの境界に設けられた中継装置は、呼信号中継変換部とメディア信号中継変換部とを備え、前記呼信号中継変換部は、前記端末からのマスコーリング呼の接続信号を前記ガイダンス装置に中継し、前記メディア信号中継変換部は、前記ガイダンス装置から、当該マスコーリング呼に係るメディアを分配して、前記端末に中継する、ことを特徴とするマスコーリングの中継方法とした。
【０００７】
請求項６に記載の発明では、マスコーリング中継ネットワークシステムは、ガイダンス装置が設けられた第１のネットワークと、端末が接続された第２のネットワークと、前記第１のネットワークと前記第２のネットワークとの境界に設けられ、呼信号中継変換部とメディア信号中継変換部とマスコーリング呼テーブルとを備えた中継装置とを備え、前記呼信号中継変換部は、前記端末からマスコーリング呼の接続信号を受信した際に、前記マスコーリング呼テーブルによって、当該マスコーリング呼に係るメディアを未だ分配していないと判断したならば、当該マスコーリング呼の接続信号を前記ガイダンス装置に中継して、当該マスコーリング呼テーブルの参照数を１増加させ、前記メディア信号中継変換部は、前記ガイダンス装置から、当該マスコーリング呼に係るメディアを分配して、前記端末に中継する、ことを特徴とするマスコーリング中継ネットワークシステムとした。
【０００８】
このようにすることで、端末の接続先が、マスコーリングサービス提供事業者と異なる事業者網に存在する場合であっても、マスコーリングサービスを提供できるようになる。
【０００９】
請求項２に記載の発明では、前記呼信号中継変換部は、前記端末からマスコーリング呼の接続信号を受信した際に、当該マスコーリング呼に係るメディアを未だ分配していなかったならば、当該マスコーリング呼の接続信号を前記ガイダンス装置に中継する、ことを特徴とする請求項１に記載のマスコーリングの中継方法とした。
【００１０】
このようにすることで、マスコーリング呼を制御するアプリケーションサーバの通信負荷を軽減することができる。
【００１１】
請求項３に記載の発明では、前記呼信号中継変換部は、前記マスコーリング呼が全て切断されたならば、当該マスコーリング呼に係る切断信号を前記ガイダンス装置に送信する、ことを特徴とする請求項１に記載のマスコーリングの中継方法とした。
【００１２】
このようにすることで、マスコーリング呼を制御するアプリケーションサーバの通信負荷を軽減することができる。
【００１３】
請求項４に記載の発明では、前記呼信号中継変換部は更に、端末からマスコーリング呼の接続信号を受信したとき、前記マスコーリング呼に係る呼接続詳細情報を課金サーバに送信する、ことを特徴とする請求項１ないし請求項３のいずれか１項に記載のマスコーリングの中継方法とした。
【００１４】
このようにすることで、マスコーリングサービスへの接続数や接続状態、接続元電話番号などの情報を、リアルタイムまたはノンリアルタイムに収集することができる。
【００１５】
請求項５に記載の発明では、前記呼信号中継変換部は更に、端末からマスコーリング呼の切断信号を受信したとき、前記マスコーリング呼に係る呼接続詳細情報を課金サーバに送信する、ことを特徴とする請求項１ないし請求項３のいずれか１項に記載のマスコーリングの中継方法とした。
【００１６】
このようにすることで、マスコーリングサービスへの接続数や接続状態、接続元電話番号などの情報を、リアルタイムまたはノンリアルタイムに収集することができる。
【発明の効果】
【００１７】
本発明によれば、マスコーリングサービス提供事業者と異なる事業者網に存在する端末にマスコーリングサービスを提供することが可能となる。
【図面の簡単な説明】
【００１８】
【図１】本実施形態に於けるネットワークシステムを示す概略の構成図である。
【図２】本実施形態に於ける呼確立処理（１）を示すシーケンス図である。
【図３】本実施形態に於ける呼確立処理（２）を示すシーケンス図である。
【図４】本実施形態に於ける呼切断処理を示すシーケンス図である。
【発明を実施するための形態】
【００１９】
以降、本発明を実施するための形態を、各図を参照して詳細に説明する。
【００２０】
（本実施形態の構成）
図１は、本実施形態に於けるネットワークシステムを示す概略の構成図である。
【００２１】
ネットワークシステム１０（マスコーリング中継ネットワークシステム）は、ガイダンス装置３１が設けられてマスコーリングサービスを提供する事業者網１１−１（第１のネットワーク）と、このマスコーリングサービスを享受する端末α（５０−１）と端末β（５０−２）が接続された事業者網１１−２（第２のネットワーク）と、事業者網１１−１，１１−２を相互に接続する中継装置２０とを備えている。事業者網１１−２には、ＳＩＰ呼接続機能を有する端末α（５０−１）と、端末β（５０−２）とが接続されている。以下、端末α（５０−１）と端末β（５０−２）とを特に区別しないときには、単に端末５０と記載している場合がある。
事業者網１１−１は、マスコーリングサービスのＳＩＰ呼を受け付けるアプリケーションサーバ３０と、メディア信号を送出するガイダンス装置３１と、中継装置２０から呼接続詳細情報（Call Detail Record）を取得して記録する課金サーバ４０とを加える。
【００２２】
事業者網１１−１と事業者網１１−２との間には、呼信号を中継・変換するＳＩＰ信号中継変換部２１（呼信号中継変換部）と、メディア信号を中継するメディア信号中継変換部２２と、マスコーリング呼を管理するマスコーリング呼テーブル２３とを有する中継装置２０が接続されている。以下、事業者網１１−１と事業者網１１−２とを特に区別しないときには、単に事業者網１１と記載している場合がある。
【００２３】
（第１の実施形態の動作）
《端末α（５０−１）の呼確立》
図２は、本実施形態に於ける呼確立処理（１）を示すシーケンス図である。
端末α（５０−１）にて、マスコーリングサービスの電話番号（０１８０−０００−０００）がダイヤルされたとき、呼確立処理の一連のシーケンスが開始する。
シーケンスＱ１０に於いて、端末α（５０−１）は、マスコーリングサービスの電話番号（０１８０−０００−０００）に対して、当該端末α（５０−１）のアドレスＡ１とポートＰ１とをメディアの受信先とするＳＩＰ呼接続信号（ＩＮＶＩＴＥ信号）を送信する。このＩＮＶＩＴＥ信号は、事業者網１１−２内を中継されて中継装置２０に到達する。
シーケンスＱ１１に於いて、中継装置２０のＳＩＰ信号中継変換部２１は、当該マスコーリングサービスのメディアを未だ分配していないので、ＳＩＰ呼接続信号のメディアの受信先であるアドレスＡ１とポートＰ１とを、当該中継装置２０のアドレスＡｘとポートＰｘとに書き換え、宛先の電話番号に対応する当該ＳＩＰ呼接続信号をアプリケーションサーバ３０に送信する。
【００２４】
シーケンスＱ１２に於いて、アプリケーションサーバ３０は、受信したＩＮＶＩＴＥ信号がマスコーリングのガイダンス提供サービスへの接続であることを認識し、ガイダンス装置３１に、ガイダンスの送出を指示する。
シーケンスＱ１３に於いて、ガイダンス装置３１は、ＩＮＶＩＴＥ信号中に記載されていた中継装置２０のＩＰアドレス（Ａｘ）とポート番号（Ｐｘ）に対して、ガイダンス送出を開始する。
シーケンスＱ１４に於いて、アプリケーションサーバ３０は、中継装置２０に、ＩＮＶＩＴＥ信号に対するＳＩＰ応答信号（２００  ＯＫ）を送信する。このＳＩＰ応答信号には、マスコーリングサービスへの接続であったことを示すフラグ（以下、マスコーリングフラグと記載する。）が設定されている。
【００２５】
シーケンスＱ１５に於いて、中継装置２０のＳＩＰ信号中継変換部２１は、受信したＳＩＰ応答信号のマスコーリングフラグから、当該ＳＩＰ呼がマスコーリングサービスへの接続であったことを認識する。中継装置２０のＳＩＰ信号中継変換部２１は、マスコーリング呼テーブル２３に、当該電話番号（０１８０−０００−０００）を宛先とし、参照数（メディア配信数）が１であるエントリを登録する。
シーケンスＱ１６に於いて、中継装置２０のメディア信号中継変換部２２は、ガイダンス装置３１から受信したメディアの分配を開始する。
シーケンスＱ１７に於いて、中継装置２０のメディア信号中継変換部２２は、ガイダンス装置３１から受信したメディアを変換して端末α（５０−１）に送信する中継動作を開始する。
シーケンスＱ１８に於いて、端末α（５０−１）は、ガイダンス聴取が可能となる。
シーケンスＱ１９に於いて、中継装置２０のＳＩＰ信号中継変換部２１は、ＳＩＰ応答信号を事業者網１１−２に接続された端末α（５０−１）に送信する。
【００２６】
シーケンスＱ２０に於いて、中継装置２０のＳＩＰ信号中継変換部２１は、課金サーバ４０に呼接続詳細情報を送信する。中継装置２０は、課金サーバ４０に、特定のマスコーリングサービス（０１８０−０００−０００）への接続が１件開始したことと、その発信元である端末α（５０−１）の電話番号などを通知する。
【００２７】
図３は、本実施形態に於ける呼確立処理（２）を示すシーケンス図である。
【００２８】
《端末β（５０−２）の呼確立》
端末α（５０−１）がガイダンス聴取中に、端末β（５０−２）にて新たにマスコーリングサービスの電話番号（０１８０−０００−０００）がダイヤルされたとき、呼確立処理の一連のシーケンスが開始する。
シーケンスＱ３０に於いて、端末β（５０−２）は、マスコーリングサービスの電話番号（０１８０−０００−０００）に対して、当該端末β（５０−２）のアドレスＡ２とポートＰ２とをメディアの受信先とするＳＩＰ呼接続信号（ＩＮＶＩＴＥ信号）を送信する。このＩＮＶＩＴＥ信号は、事業者網１１−２内を中継されて中継装置２０に到達する。
シーケンスＱ３１に於いて、中継装置２０のＳＩＰ信号中継変換部２１は、当該ＩＮＶＩＴＥ信号に含まれた電話番号（０１８０−０００−０００）に係るマスコーリングサービスが、既に分配中であるか否かを判断する。中継装置２０のＳＩＰ信号中継変換部２１は、当該条件が成立したので、アプリケーションサーバ３０への中継を行わず、マスコーリング呼テーブル２３の当該電話番号を宛先とするエントリの参照数（メディア配信数）を１増加させる。これにより、参照数（メディア配信数）は２となる。
【００２９】
シーケンスＱ３２に於いて、中継装置２０のメディア信号中継変換部２２は、端末α（５０−１）の呼に関してガイダンス装置３１から受信しているメディアを、端末β（５０−２）にも分配開始する。
シーケンスＱ３３に於いて、中継装置２０のメディア信号中継変換部２２は、端末β（５０−２）にガイダンスの送出を開始する。
シーケンスＱ３４に於いて、端末β（５０−２）は、ガイダンスを聴取可能となる。
シーケンスＱ３５に於いて、中継装置２０は、端末β（５０−２）に、ＳＩＰ応答信号（２００  ＯＫ）を送信する。
【００３０】
シーケンスＱ３６に於いて、中継装置２０のＳＩＰ信号中継変換部２１は、課金サーバ４０に対して、呼接続詳細情報を送信する。中継装置２０のＳＩＰ信号中継変換部２１は、課金サーバ４０に特定のマスコーリングサービス（０１８０−０００−０００）への接続が新たに１件開始されたことと、端末β（５０−２）の電話番号などを通知する。
【００３１】
シーケンスＱ３０〜シーケンスＱ３６までの動作により、端末β（５０−２）の呼に関してはＳＩＰ呼接続信号がアプリケーションサーバ３０に送信されることなく、すなわちアプリケーションサーバ３０の負荷を上げることなく、端末β（５０−２）のガイダンス聴取が可能となる。
【００３２】
また、端末β（５０−２）からのマスコーリングサービスへの接続が行われたことは、課金サーバ４０に通知されている。そのため、事業者網１１−１の事業者は、端末β（５０−２）からの接続があったことを認識しなくとも、課金サーバ４０の情報を利用して、マスコーリングサービスに関する接続状態を知り、他の事業者が運営する事業者網１１−２の利用者に対して、課金サービスを提供することができる。
【００３３】
図４は、本実施形態に於ける呼切断処理を示すシーケンス図である。
【００３４】
《端末α（５０−１）の呼切断》
端末β（５０−２）がガイダンス聴取中に、端末α（５０−１）がオンフックしたときに、呼切断処理の一連のシーケンスが開始する。
シーケンスＱ４０に於いて、端末α（５０−１）は、中継装置２０にＳＩＰ呼切断信号（ＢＹＥ信号）を送出する。このＢＹＥ信号は、事業者網１１−２内を中継されて、中継装置２０に到達する。
【００３５】
シーケンスＱ４１に於いて、中継装置２０のＳＩＰ信号中継変換部２１は、マスコーリング呼テーブル２３に於ける当該呼の宛先電話番号の参照数（メディア配信数）を１減少させる。中継装置２０は、減少させた後の配信数が１以上であることから、アプリケーションサーバ３０との間の接続を維持することを判断する。
シーケンスＱ４２に於いて、中継装置２０のメディア信号中継変換部２２は、端末α（５０−１）に対するメディアの分配を停止する。以降、端末α（５０−１）は、ガイダンスの聴取が不可になる。
シーケンスＱ４３に於いて、中継装置２０のＳＩＰ信号中継変換部２１は、ＢＹＥ信号に対する応答信号（２００  ＯＫ）を事業者網１１−２に対して送出する。この応答信号は、事業者網１１−２内を中継されて、端末α（５０−１）に到達する。
シーケンスＱ４４に於いて、中継装置２０のＳＩＰ信号中継変換部２１は、課金サーバ４０に対して、呼接続詳細情報を送信する。課金サーバ４０には、端末α（５０−１）からの接続が終了したことが通知される。
【００３６】
シーケンスＱ４０〜シーケンスＱ４４により、端末α（５０−１）のＳＩＰ呼切断が完了したが、端末β（５０−２）のＳＩＰ呼が継続している。そのため、もともと端末α（５０−１）のＳＩＰ呼接続によって開始したアプリケーションサーバ３０と中継装置２０との間のＳＩＰ呼は継続できており、端末β（５０−２）へのガイダンス送出も継続できている。
【００３７】
《端末β（５０−２）の呼切断》
端末β（５０−２）がオンフックしたときに、端末β（５０−２）に関する呼切断処理の一連のシーケンスが開始する。
シーケンスＱ４５に於いて、端末β（５０−２）は、ＳＩＰ呼切断信号（ＢＹＥ）を送信する。このＢＹＥ信号は、事業者網１１−２内を中継されて、中継装置２０に到達する。
シーケンスＱ４６に於いて、中継装置２０のＳＩＰ信号中継変換部２１は、マスコーリング呼テーブル２３に於ける当該呼の宛先電話番号の参照数（メディア配信数）を１減少させる。中継装置２０のＳＩＰ信号中継変換部２１は、減少させた後の参照数（配信数）が０であることから、アプリケーションサーバ３０との接続を切断することを判断し、当該エントリを削除する。
シーケンスＱ４７に於いて、中継装置２０のメディア信号中継変換部２２は、端末β（５０−２）に対するメディアの分配を停止する。これにより、端末β（５０−２）は、ガイダンス聴取不可になる。
シーケンスＱ４８に於いて、中継装置２０のＳＩＰ信号中継変換部２１は、呼切断への応答信号（２００  ＯＫ）を送信する。この応答信号（２００  ＯＫ）は、事業者網１１−２内を中継されて、端末β（５０−２）に到達する。
【００３８】
シーケンスＱ４９に於いて、中継装置２０のＳＩＰ信号中継変換部２１は、課金サーバ４０に対して、呼接続詳細情報を送信する。課金サーバ４０には、端末β（５０−２）からの接続が終了したことが通知される。
【００３９】
シーケンスＱ５０に於いて、中継装置２０のＳＩＰ信号中継変換部２１は、ＢＹＥ信号を送出し、当該信号はアプリケーションサーバ３０に到達する。
シーケンスＱ５１に於いて、アプリケーションサーバ３０は、ガイダンス装置３１に対してガイダンス停止の指示を行う。ガイダンス装置３１は、中継装置２０へのメディア送出を停止する。
シーケンスＱ５２に於いて、アプリケーションサーバ３０は、ＢＹＥに対する応答信号を送出し、当該信号は中継装置２０に到達する。
【００４０】
シーケンスＱ４５〜Ｑ５２により、端末β（５０−２）のＳＩＰ呼切断が完了し、それに伴い、マスコーリングサービスに接続している端末５０の台数はゼロになる。これにより、アプリケーションサーバ３０と中継装置２０との間のＳＩＰ呼が解放され、ガイダンス装置３１から中継装置２０へのメディア送出も停止する。
【００４１】
（本実施形態の効果）
以上説明した本実施形態では、次の（Ａ）〜（Ｄ）のような効果がある。
【００４２】
（Ａ）  複数の事業者網１１の間に中継装置２０が介在することによって、端末５０の接続先が、マスコーリングサービス提供事業者と異なる事業者網１１に存在する場合であっても、マスコーリングサービスを提供できるようになる。
【００４３】
（Ｂ）  事業者網１１の境界に設置された中継装置２０は、マスコーリング呼への接続状態を管理して、メディアの分配を行っている。マスコーリングサービスの呼のうち最初の呼のみをアプリケーションサーバ３０と接続するだけで、事業者網１１−２に接続された端末５０へメディアを送出できるので、アプリケーションサーバ３０の通信負荷を軽減することができる。
【００４４】
（Ｃ）  中継装置２０は、端末５０からのマスコーリングサービスの呼切断のうち、最後の呼切断を受信したときに、アプリケーションサーバ３０に呼切断を送信している。これにより、アプリケーションサーバ３０の通信負荷を軽減することができる。
【００４５】
（Ｄ）中継装置２０は、接続ログを呼接続詳細情報として課金サーバ４０に随時集約している。これにより、マスコーリングサービスへの接続数や接続状態、接続元電話番号などの情報を、リアルタイムまたはノンリアルタイムに収集することができる。
【００４６】
（変形例）
本発明は、上記実施形態に限定されることなく、本発明の趣旨を逸脱しない範囲で、変更実施が可能であり、例えば、次の（ａ）〜（ｃ）のようなものがある。
【００４７】
（ａ）  上記実施形態では、アプリケーションサーバ３０がガイダンス装置３１を制御してメディアを送出するように構成されている。しかし、これに限られず、アプリケーションサーバ３０にメディア送出機能を設け、アプリケーションサーバ３０が自らメディアを送出するように構成してもよい。
【００４８】
（ｂ）  上記実施形態のネットワークシステム１０は、マスコーリングサービスを提供する事業者網１１−１と、このマスコーリングサービスを享受する事業者網１１−２と、事業者網１１−１，１１−２を相互に接続する中継装置２０とを備えている。しかし、これに限られず、更にマスコーリングサービスを享受する複数の事業者網１１を備え、これら各事業者網１１が各中継装置２０を介して事業者網１１−１に接続されていてもよい。
【００４９】
（ｃ）  上記実施形態のネットワークシステム１０は、ＳＩＰプロトコルに基づいて呼制御を行っている。しかし、これに限られず、Ｈ．３２３プロトコルに代表される他の呼制御プロトコルに基づく呼制御信号を送受信するように構成してもよい。
【符号の説明】
【００５０】
１０  ネットワークシステム  （マスコーリング中継ネットワークシステム）
１１  事業者網
１１−１  事業者網  （第１のネットワーク）
１１−２  事業者網  （第２のネットワーク）
２０  中継装置
２１  ＳＩＰ信号中継変換部  （呼制御信号中継変換部）
２２  メディア信号中継変換部
３０  アプリケーションサーバ
３１  ガイダンス装置
４０  課金サーバ
５０  端末
【図１】
2014007540.tif 000003
【図２】
2014007540.tif 000004
【図３】
2014007540.tif 000005
【図４】
2014007540.tif 000006